(57)【要約】２つの乾燥壁のパネルの間にコーナを形成するように使用される仕上げ装置は、予定された軸心に沿って延びる可撓性継手を有している。２つの翼部(204,202)は、調節可能な角度をもったコーナを形成するように可撓性継手に接続されて継手から分岐する関係に外方に延びている。各翼部は、前面と、後面と、可撓性継手から末端の縁部とを有している。仕上げ装置は、乾燥壁パネルの種々な厚さに適合するように調節可能である。プライマーの層または接着剤ラミネートは、翼部の前面に付与されるので、塗料が前面に接着できる。仕上げ装置は、内側および外側の両側のコーナを形成することができる。内側および外側のコーナを形成するように、仕上げ装置は、可撓性継手に沿って屈曲される。
2004531663.tif 000002
【特許請求の範囲】
【請求項１】
内側および外側縁部のある前面および後面をそれぞれ有する２つの翼部と、
２つの翼部のそれぞれの前面および後面の間に延びる補強構造と、を有し、２つの翼部の内側縁部は、長手方向軸心に沿って延びる可撓性継手で接合され、後面の内側縁部は、可撓性継手の外方に互いに隔たって離れており、前記前面および後面に隣接した前記前面および後面の部分には補強構造がなく、後面の外側部分は隣接の補強構造と共に長手方向のヒンジを形成し、これによって、各翼部の後面の外側部分は、異なった厚さの乾燥壁パネルを受けるように後方に枢動できることを特徴とする、予定された厚さの縁部を有する乾燥壁の２つのパネルの間に継手またはコーナを形成するのに用いるための仕上げ装置。
【請求項２】
前記可撓性継手は、前面と後面とを有し、可撓性継手の後面は、対向する内方にテーパーが付けられた部分を有することを特徴とする請求項１に記載の乾燥壁コーナ仕上げ装置。
【請求項３】
前記可撓性継手は、前面と後面とを有し、可撓性継手の前面および後面は、互いに実質的に平行であることを特徴とする請求項１に記載の乾燥壁コーナ仕上げ装置。
【請求項４】
各翼部の前記前面および後面は、前記可撓性継手の外方の方向に向って互いに収束していることを特徴とする請求項１に記載の乾燥壁コーナ仕上げ装置。
【請求項５】
前記補強構造は、各翼部の前記前面および後面の間に延びる複数個の控えをさらに有することを特徴とする請求項１に記載の乾燥壁コーナ仕上げ装置。
【請求項６】
各翼部の前記後面の前記外方部分は、前記仕上げ装置をフレームに取り付けるためのフランジを設けていることを特徴とする請求項１に記載の乾燥壁コーナ仕上げ装置。
【請求項７】
前記仕上げ装置は、複数個の角度を有した内側または外側のコーナを形成するように前記可撓性継手において複数個の角度に折曲できることを特徴とする請求項１に記載の乾燥壁コーナ仕上げ装置。
【請求項８】
前記前面は、プライマーまたはラミネートによって覆われていることを特徴とする請求項１に記載の乾燥壁コーナ仕上げ装置。
【請求項９】
前記前面は、接着剤によって取り付けられた伸展可能な紙ラミネートによって覆われており、前記接着剤は、曲げ易くて、正常な作動の下で、紙ラミネートの伸展可能な特性を否認しないことを特徴とする請求項１に記載の乾燥壁コーナ仕上げ装置。
【請求項１０】
翼部の前面および後面の外側部分間の正常な開口よりも厚くなっている乾燥壁パネルに使用される時に、翼部の後面に隣接して配置されるブロックと組合せられ、乾燥壁パネルと仕上げ装置が取り付けられるフレームの面に平行に乾燥壁と仕上げ装置が保持されるようにできることを特徴とする請求項１に記載の乾燥壁コーナ仕上げ装置。
【請求項１１】
前記前面および後面の外側部分の内面は、仕上げ装置が用いられる乾燥壁パネルに接着剤によって取り付けられていることを特徴とする請求項１に記載の乾燥壁コーナ仕上げ装置。
【請求項１２】
内側および外側縁部のある前面および後面をそれぞれ有する２つの翼部と、２つの翼部のそれぞれの前面および後面の間に延びる補強構造と、を有し、２つの翼部の内側縁部が、長手方向軸心に沿って延びる可撓性継手において接合され、後面の内側縁部が、可撓性継手の外方に互いに隔たって離れており、前記前面および後面に隣接した前記前面および後面の部分には補強構造がなく、後面の外側部分が隣接の補強構造と共に長手方向のヒンジを形成し、これによって、各翼部の後面の外側部分が、異なった厚さの乾燥壁パネルを受けるように後方に枢動できる仕上げ装置を設ける工程と、
各翼部の前面および後面間の空所内に乾燥壁パネルを挿入する工程と、
挿入された乾燥壁パネル間に所要の角度を形成するように可撓性継手を曲げる工程と、
フレーム面に仕上げ装置を取り付ける工程と、
仕上げ装置およびパネル間に滑らかな基準面を生じるように仕上げ装置および乾燥壁パネルが出会う領域内にプラスターまたはプラスターに代るものを付与する工程と、
プラスターまたはプラスターに代るものを乾燥するようになす工程と、
取り付けられた仕上げ装置および乾燥壁パネルに塗料または他の表面被覆を付与する工程と、
を有することを特徴とする２つの側壁を有する内側または外側乾燥壁コーナを仕上げる方法。
【請求項１３】
内側および外側縁部のある前面および後面をそれぞれ有する２つの翼部と、２つの翼部のそれぞれの前面および後面の間に延びる補強構造と、を有し、２つの翼部の内側縁部が、長手方向軸心に沿って延びる可撓性継手において接合され、後面の内側縁部が、可撓性継手の外方に互いに隔たって離れており、前記前面および後面に隣接した前記前面および後面の部分には補強構造がなく、後面の外側部分は隣接の補強構造と共に長手方向のヒンジを形成し、これによって、各翼部の後面の外側部分が、異なった厚さの乾燥壁パネルを受けるように後方に枢動できる仕上げ装置を設ける工程と、
各翼部の前面および後面の間の空所内に乾燥壁パネルを挿入する工程と、
挿入された乾燥壁パネル間に所要の角度を形成するように可撓性継手において仕上げ装置を曲げる工程と、
フレーム面に仕上げ装置を取り付ける工程と、
仕上げ装置およびパネル間に滑らかな基準面を生じるように仕上げ装置および乾燥壁パネルが出会う領域内にプラスターまたはプラスターに代るものを付与する工程と、
プラスターまたはプラスターに代るものを乾燥するようになす工程と、
取り付けられた仕上げ装置および乾燥壁パネルに塗料または他の表面被覆を付与する工程と、
を有することを特徴とする２つの側壁を有する内側または外側乾燥壁コーナを仕上げる方法。
【請求項１４】
前記仕上げ装置は、乾燥壁パネルおよび後面の外側部分を介してフレーム面内に押しやられる締着部材と共にフレーム面に取り付けられることを特徴とする請求項１３に記載の方法。
【請求項１５】
もし、挿入された乾燥壁パネルが、前面および後面の外側部分間の正常な空所よりも厚ければ、ブロックが各翼部の後面に隣接して配置されて正常な空所よりも厚くなった乾燥壁パネルに適合されて、乾燥壁パネルおよび仕上げ装置が、乾燥壁パネルおよび仕上げ装置が取り付けられるフレーム面に平行に保たれるのを許すようになっていることを特徴とする請求項１４に記載の方法。
【請求項１６】
前記可撓性継手は円弧状であることを特徴とする請求項１に記載の乾燥壁コーナ仕上げ装置。
【発明の詳細な説明】
【技術分野】
【０００１】
この出願は、２００１年６月２２日に出願された米国特許出願第０９/８８８,０１１号の一部継続出願である。
【０００２】
本発明は、内部壁の仕上げに関するものである。特に、本発明は、２つの壁が出合う交差部分における縁部を仕上げることに係わるものである。
【背景技術】
【０００３】
乾燥壁パネルは、室の内壁および天井を形成するために、建築技術に広く用いられている。乾燥壁パネルは、紙で被覆された石膏または補強された石膏コアから作られている。乾燥壁パネルは、商用の寸法に容易に切断でき、調和された形式のフレームに取り付けるようにできる利点を有している。しかしながら、乾燥壁パネルを切断するのが非常に難しいので、縁部は、完全に真っ直ぐで、滑らかであり、所要されるべく美観的である完全に真っ直ぐなコーナを形成するように出合うことができる。さらに、乾燥壁パネルが所要される寸法に切断される時に、パネルの縁部は、露出されたまま残っている。この露出した石膏コアは、切断された縁部がどうにか保護されなければ、やわらかで砕かれるようになる。これは、外側壁のコーナの場合に、特に重要である。
【０００４】
壁や天井が、木材のようなフレーム材料で作られる時に、これによって作られる内側および外側のコーナは、完全に真っ直ぐにあまりならない。木のフレーム部材の寸法の小さな変化と、木材の歪みと、一貫しない構築を実施することは、壁と天井が出合うコーナや、出入口および通路の壁端部におけるコーナを不完全に真っ直ぐにしてしまう。乾燥壁パネルが、そして、曲がったフレーム部材に取り付けられてしまい、それらの交差部分も彎曲してしまう。
【０００５】
内側または外側のコーナを形成するように乾燥壁の２つの部片が当接する交差部分のための滑らかで丈夫な仕上げを形成するために、一組の装置が使用されている。中で、使用される通常の装置は、乾燥壁テープと金属コーナビードである。通常の乾燥壁テープは、ロールに巻かれた、孔の穿いた紙の幅の狭い細長いリボンまたは条片に設けられている。紙は、時々孔が穿けられていて、湿気の透過を増大すると共に、テープの背後に空気の泡が取り込まれるのを防止するようにする。乾燥壁テープは、先ず、継手と、当接する乾燥壁パネルの縁部とに付与され、次いで、時には“マッド”と呼ばれる湿ったプラスターで被覆される。プラスターは、テープが適用されるテープ縁部と乾燥壁パネルとの間の境界を隠すようにテープの縁部に沿って覆われて滑らかにされる。湿ったプラスターが乾燥された時に、テープと乾燥壁は、塗装され、あるいは適宜な壁被覆によって同様に被覆することができる。
【０００６】
完全で真っ直ぐな交差部分が達成されるように、内側コーナの両側にプラスターを適用するように、多くの熟練が必要とされる。また、上述された彎曲したフレーム部材および矛盾した構築の実施に基づく歪みを修正するように、しばしば幾つかのプラスターの被覆が適用されなければならず、まる一日の乾燥時間が各被覆の間に必要である。それでも、完全に真っ直ぐなコーナが、まれに出来る。また、非常に高度な技巧手段のほかは、プラスター「こて」がプラスターの第１の側部を損ってしまうと共に、第２の側部が適用されることが、同じようにあり得る。プラスターが適用されて乾燥されれば、塗装または壁紙の適用に適した表面を設けるように、適宜な仕上げが行われなければならない。
【０００７】
【特許文献１】
米国特許第３,４４４,６５７号明細書
【特許文献２】
米国特許第４,３１３,９９１号明細書
【特許文献３】
米国特許第３,９８９,３９７号明細書
【特許文献４】
米国特許第４,０１２,８７８号明細書
【特許文献５】
米国特許第４,３１５,３９０号明細書
【特許文献６】
米国特許第４,５５３,３６３号明細書
【特許文献７】
米国特許第４,６２４,０８７号明細書
【特許文献８】
米国特許第４,７１９,７３２号明細書
【特許文献９】
米国特許第４,８６３,７７４号明細書
【特許文献１０】
米国特許第５,０３７,６３６号明細書
【特許文献１１】
米国特許第５,０４５,３７４号明細書
【特許文献１２】
米国特許第５,０８６,５９８号明細書
【特許文献１３】
米国特許第５,１３１,１９８号明細書
【特許文献１４】
米国特許第３,９６４,２２０号明細書
【特許文献１５】
米国特許第１,２１５,３４５号明細書
【特許文献１６】
米国特許第５,４５９,９６９号明細書
【特許文献１７】
米国特許第５,５３１,０５０号明細書
【特許文献１８】
米国特許第５,９１６,１０１号明細書
【発明の開示】
【発明が解決しようとする課題】
【０００８】
格子天井や丸天井は、建築業者や購買者の中で今日、非常に一般的になっている。時には、このような天井の頂部は、鋭角に形成される。このような角度に通常のプラスター「こて」を適合させるのは困難である。
【０００９】
乾燥壁テープが紙で作られるために、非常に可撓性的であり、乾燥壁の交差するパネルの縁部の種々な表面形状に適合されるようになる。通常の乾燥壁テープが壁の外側のコーナに使用される時に、テープの可撓性は、テープが、乾燥壁パネルの露出、切断された縁部に不揃いに適合されるので、不規則になっているコーナの境界部分に、しばしば起因するようになる。また、テープは、壊れ易くて、外側コーナによって経験される一定の物理的な酷使に良好に耐えることができない。結果として、通常の乾燥壁テープは、露出した外側のコーナに使用されるように出来ない。
【００１０】
従って、建築構造物の外側のコーナを仕上げるために、金属コーナビードがしばしば使用される。通常の金属ビードは、Ｌ字形またはアングル形の断面形状に形成され、細長いアングルを形成するように長手方向に９０度曲げて、恒久的に形成された亜鉛メッキされた鋼のような金属の細長い有孔条片から一般的に作られている。金属ビードは、室内に外側コーナを形成するように、直角に出合う隣接した乾燥壁パネルの交差部に一般的に配置されている。金属ビード部分は、乾燥壁パネルの背後に配置された木製の支持構造部材に乾燥壁パネルを介して適所に釘止めされている。湿ったプラスターは、金属フランジまたは金属ビードの脚部材を覆うように、そこで、適切に滑らかにされて、金属縁部を隠すようにするために、プラスターの縁部が滑らかにされて塗料を塗って覆われる。
【００１１】
金属ビードの剛性は、内側構築壁の外側コーナが、審美的な喜ばしい明確で真っ直ぐな縁部で仕上げられるようになすが、金属ビードの使用は幾つかの大きな問題を含んでいる。時間が経つと、金属ビードは錆びてきて、これによって、コーナの壁の表面にはっきりと見えてくる錆で汚れる。乾燥壁パネルに金属コーナビードを取り付けるように使用される金属フランジの縁部または釘の頭部を完全に覆うようにすることは、常に不可能であり、壁の所要される滑らかな外観を損ってしまう。フランジの外側縁部を覆うように付設されたプラスターに度々割れが発生する。この割れの発生を防止するために、次の覆いが適用される前に、２４時間程とすることができる、前の覆いが乾燥して硬化されるように、しばしば２層または３層のプラスターの覆いが適用される。コーナが、下に配置されるフレームによる問題に基づいて、コーナが壊れるか、または崩れる時に、金属ビードは、表面領域を十分に被覆しないし、また、存在する凹凸を修正するように十分な可撓性を有している。別の問題は、金属ビードが造られる柔軟な金属が非常に乏しい復元性を有しており、滑らかな仕上げを形成するように真直ぐにすることが後では困難であり、凹ませたりあるいはしわが寄ったりするようになるのが本質である。大部分の金属が加工場所で受ける粗雑な取り扱いのために、しわ寄せされたり、凹ませたり、場合によっては捩られたりするのが、条片では稀ではなく、従って、条片を使用できなくしたり、あるいはまた、あまり良くない端部を製作するようにだけ使用できるようになる。さらに、金属条片は、構造中に多量に用いられ、相当な費用が加わるようになる。
【００１２】
上述した問題に対応するように多数のコーナ仕上げ装置が開発されている。特に、これらの仕上げ装置が以下に示される。
【００１３】
2004531663.tif 000003
【００１４】
スワンソン（特許文献１）とラム（特許文献２）は、内側および外側、両側のコーナに接着して固着されるべく両側に曲げることができるプラスチック継手条片を記載している。
【００１５】
ベーカー（特許文献３）は、台を形成するパネルがコネクタに挿入されるウォーターベッド台のための外側コーナコネクタを示している。
【００１６】
エリングソン（特許文献４）は、可撓性材料で作られた外側コーナのための２層壁部材保護構造を設けている。
【００１７】
シャフスマ（特許文献５）は、２つの形式の壁ボードコーナを示しており、内側コーナのための１つは、パテによって所要位置に保持されていて、外側コーナのための他の１つは、それ自体が乾燥壁パネルによって所要位置に保持されている。前者は、パテによってだけ保持されていることによる欠点があり、もしも、パテが乾燥壁パネルに良好に接着されないと、コーナが緩くなってしまう。外側コーナは、乾燥壁パネルの下に配置されなければならず、相当な混和を含んでおり、あるいは、もしもパネルの前にコーナに配置されれば、所要位置にコーナを保持するように一定の大きさの特別な努力を含んでおり、パネルがその上に釘打ちされる。両コーナは、プラスターを適用してサンダー掛けすることによって、乾燥壁仕上げに混和できる滑らかな頂部仕上げを設けるようにテープを使用している。
【００１８】
ワイナー（特許文献６）は、Ｔ字形コーナ構造の支柱が乾燥壁の２つの当接する部片の間に位置されて、横バーが乾燥壁パネルの頂上に置かれる、プラスチックまたは金属のＴ字形コーナを設けている。１つのパネルを覆う紙の部分は、仕上り形状を設けるように横バーの周りに巻かれて、コーナの一方の側に縁部を残している。このコーナ構造は、外側コーナに使用することだけができる。
【００１９】
シュネーラー（特許文献７）は、外側コーナを形成する乾燥壁ボードの縁部の上に別のフランジが延びているさらに他の形式の金属外側コーナビードを記載している。縁部は、コーナの両側に残されており、このコーナビードが外側コーナに使用できるだけである。
【００２０】
ベルナード（特許文献８）は、取り付けの方法と、カバーと乾燥壁の間に滑らかな接合を設ける方法との両方におけるようにアームに沿って熱収縮可能なプラスチックテープを用いるプラスチックのＬ字形外側コーナカバーを示している。このカバーは、種々な角度を有する外側コーナのために使用できる。
【００２１】
タッカー（特許文献９）は、リボンに沿って長手方向に延びる中央に配置されたプラスチックビードを有する紙乾燥壁リボンを設けている。プラスターは、リボンを乾燥壁に取り付けるように使用される。このプラスチックビードは、外側コーナにだけ使用されるように設計されている。
【００２２】
コンボイ（特許文献１０）は、内側および外側の両側のコーナに使用できるプラスチック乾燥壁テープを記載している。さらに、このプラスチックテープは、プラスターと一緒にコーナに保持され、プラスターは、仕上り外観形状を設けるように用いられる。
【００２３】
タッカー（特許文献１１）は、彎曲した中央部分と、接着剤によって外側または内側のコーナに取り付けられる２つのフランジとを有した固いプラスチックの条片を示している。フランジは、そして、紙テープ条片とプラスターと一緒に曲げられる。
【００２４】
ウェルディ（特許文献１２）は、２つのフランジが直角に取り付けられる円弧状中央部を有するプラスチック条片から成る内側および外側の両方のコーナのための壁縁構造を記載している。条片は、釘によって乾燥壁に取り付けられている。プラスターは、次いで、縁部を仕上げるように条片の上に滑らかにされる。室の外方を向いた条片の側部は、プライマーで仕上げることができる。
【００２５】
リッチー他（特許文献１３）は、金属コアを有し、かつ紙によって完全に覆われる外側コーナのためのコーナビードを示している。このビードは、丸くなったノーズと側フランジを有している。紙被覆は、補強エマルジョンによってさらに被覆されている。コーナビードは、乾燥壁に釘で止められ、プラスターは、縁部を隠すように用いられる。
【００２６】
ルトコウスキー他（特許文献１４）は、壁内の動きを吸収するために平らな壁を形成する隣接の乾燥壁ボードの接合部間に配置されるようになった細長い条片を記載している。条片は、中央可撓性部分の両側に取り付けられる２つのフランジを有している。
【００２７】
カノン（特許文献１５）は、壁がコーナ支柱に挿入された構築物を示している。支柱は、壁の縁部が配置される２つの溝路を有している。壁は、ボルトと、壁に外装材によって接続されるコーナ板とによって溝路内に保持される。
【００２８】
スチッボルト他（特許文献１６）は、種々な角度を有する外側および内側の、両側のコーナに使用できるコーナ仕上げ装置を記載している。仕上げ装置は、室内扉や種々な寸法の他の開口部の、縁部において見られるような並列した外側コーナを覆うようにまた使用できる。仕上げ装置は、プラスターの多数の被覆を使用せずに、完全に真っ直ぐなコーナを設ける。また、仕上げ装置は、鋭角な角度の内側コーナ内への乾燥壁の取付けを簡単にしている。
【００２９】
スチッボルト他（特許文献１６）の一部継続出願であるスチッボルト他（特許文献１７）は、親特許に記載されている発明の別の実施例を示している。
【００３０】
スチッボルト他（特許文献１７）の一部継続出願であるスチッボルト（特許文献１８）は、乾燥壁パネルの種々な厚さに適合するようにできる別の実施例を記載している。この実施例は、その複雑な断面形状に基づいてプラスチック押出し方法によって製造するのが非常に高価になる欠点を有していることが見られる。
【００３１】
乾燥壁の取付けを簡単にし、プラスターの多数の被覆を使用せずに完全に真っ直ぐなコーナを設け、種々な角度を有する内側および外側の両側のコーナに使用することができ、並列した外側コーナを覆うように使用でき、種々な厚さの乾燥壁に使用するようにでき、かつ経済的に製造できること等の必要性が、乾燥壁仕上げ装置において存在する。
【００３２】
上述した乾燥壁コーナのいずれも、これらの必要性を満たしていない。
【課題を解決するための手段】
【００３３】
ここに記載される乾燥壁仕上げ装置は、種々な角度を有する内側および外側の両方のコーナに使用できる。建築業者は、異なった形式のコーナを覆うように２つ以上の形態を注文するようにしない。ここに説明される乾燥壁コーナ仕上げ装置は、コーナ間の乾燥壁パネルの狭い条片と、各外側コーナに１つ当ての、２つの仕上げ装置との使用を必要とすることなく、２つの隣接の外側コーナを覆うようにまた使用できる。プライマーまたはラミネートの層は、室内を向いた本発明の乾燥壁コーナ仕上げ装置の側部を被覆する。このプライマーまたはラミネートの層のために、プラスターは、乾燥壁と当接するコーナ仕上げ装置の外側縁部に使用されるべく必要とされるだけである。本発明の乾燥壁コーナ仕上げ装置は、彎曲した不均等なコーナを隠すようにできる。本発明の乾燥壁コーナ仕上げ装置は、壁のフレーム部材に直接に取り付けられ、これによって安定性を設けている。乾燥壁コーナ仕上げ装置は、種々な厚さの乾燥壁パネルに適合するように調節自在である。終りに、乾燥壁コーナ仕上げ装置は、その簡単な断面形状に基づいて、経済的に製作できる。
【発明を実施するための最良の形態】
【００３４】
乾燥壁の２つのパネル間にコーナを形成するように用いられる仕上げ装置は、予定された軸心に沿って延びる可撓性継手を有している。２つの翼部は、調節可能な角度を有するコーナを形成するように、可撓性継手から分岐する関係に接続され、かつ外方に延びている。各翼部は、前面と、後面と、可撓性継手から末端の端部とを有している。仕上げ装置は、乾燥壁パネルの種々な厚さに適合するように調節可能である。プライマーの層または接着剤ラミネートは、翼部の前面に適用されるので、塗料が前面に付着できる。仕上げ装置は、内側と外側の両方のコーナを形成できる。内側コーナを形成するように、仕上げ装置が、可撓性継手に沿って曲げられる。
【００３５】
本発明は、添付図面に関連して一層容易に理解できる。
【実施例】
【００３６】
乾燥壁パネルは、例えば、予定された幅で一般的に適用されるもので、３／８インチ、１／２インチ、５／８インチ幅等を含むべく意味していない。全ての予定された厚さの乾燥壁パネルにおける個別の乾燥壁コーナ仕上げ装置の使用の外に、どのような幅の乾燥壁パネルにも適合するように、図１乃至図１３に示される乾燥壁コーナ仕上げ装置の実施例を使用できる。
【００３７】
図１を参照するに、乾燥壁コーナ仕上げ条片の左翼部１０２と右翼部材１０４は、可撓性中央継手１００に取り付けられていて、可撓性中央継手１００から末端縁部１１０に外方に延びている。翼部１０２、１０４は前面１０６と後面１０８とを有している。前面１０６と後面１０８は、外控え１１０を覆うように翼部１０２、１０４の外控え１１０を越えて外方に延びている。乾燥壁コーナ仕上げ装置は、内側コーナまたは外側コーナのいずれかを覆う時に、装置の後面１０８は、内壁のフレームに並列されると共に、前面１０６は室内の方に向き合わせられて、壁を形成する乾燥壁パネルの面に連続される。前面１０６は、図３に示されるように、プライマー（石膏）層３００で覆うことができるので、壁を装飾するように最終的に使用されるどのような塗料や壁装飾も、容易に接着できる。代わりに、前面１０６は、図４に示されるように前面１０６に取り付けられた接着剤層４００を有するようにできる。
【００３８】
本発明の推奨実施例において、接着剤層４００は、前面１０６に使用される。最良の結果のために、接着剤層はそれに対する伸展性または可撓性特性を有しなければならないので、装置が可撓性継手において曲げられる時や、同様に、乾燥壁パネルの表面特性と類似の表面特性を有する時に、接着剤層は割れることがない。伸展試験の際に、最良の結果が、マサチューセッツ州、フィッチバーグのファイバーマークによって製造されて製品番号Ｘ４１６９３のもとで市販されているペーパーラミネートを用いて得られた。この特別なラミネートの記述が、このラミネートだけの使用に本発明を制限していないだけでなく、装置の使用にまた適している他のラミネートの使用を包含していないことが理解される。
【００３９】
推奨実施例において、ペーパーラミネートは、装置の適用の後と、装置の正常な作動状態の間中は柔軟性が残っている感圧接着剤によって装置に取り付けられている。伸展試験の際に、最良の結果が、ニューハンプシャー州、ナシュアのウォーザーン・インダストリーズによって製造されて、製品番号ナイロンＥ−６８のもとで市販されている接着剤を用いて得られた。この接着剤は、装置とラミネートの間に溶融状態接着を設けて、装置から離れるようになるラミネートの傾向を大いに低減している。他の適宜な接着剤は、硬化しなく、適用されるペーパーラミネートの伸展特性を否定しない接着剤を包含している。
【００４０】
装置自体は、種々な材料を用いて押し出しできる。本発明の推奨実施例において、ペンシルベニア州、ホムベルのヴェカ・インコーポレーテッドによって製造されて、製品番号Ｘ−１５のもとで市販されているＰＶＣプラスチックが使用される。この特別な材料の記述が、この材料だけの使用に本発明を制限しないだけでなく、装置と一緒に使用するためにまた適している他の材料の使用を包含しないことが理解される。
【００４１】
乾燥壁コーナ仕上げ装置の構成が図２にさらに明確に示されている。可撓性中央継手１００は、各翼部の前面から他の部分に好適に延び、テーパーが付けられるか、あるいは平行な壁のいずれにもできるし、また、円弧状、Ｖ字形、Ｕ字形、Ｃ字形等のようないずれの形の継手も使用でき、中央継手１００における角度の変化に応じて曲げるように装置を許していることが特に理解されるべきである。中央継手１００は、コーナまたは縁部を形成するように、直線的に延びる軸心に沿って、延びている。
【００４２】
可撓性継手の実施例であるテーパー付の継手１０１は、装置の前面１０６に対して平行に延びている前面を有している。テーパー付の継手１０１の後面は、２つの翼部から前面に向って内方にテーパーが付けられている。これは、装置が継手に沿って曲げられる時に、図６と図６ａに一層明確に示されるように、最も薄くなっているテーパー付の継手１０１の前面に沿って鮮明で明確なコーナを形成することを許している。
【００４３】
可撓性継手の実施例である平行な継手１０３は、互いに平行に延びる前面と後面の両方を有しており、前面は、装置の前面１０６から延びていて平行になっている。これは、装置が継手に沿って曲げられる時に、図７と図７ａに一層明確に示されるように、平行な継手の前面に沿って丸くなったコーナを形成することを許している。平行な継手の長さは、製作される時に、丸くなったコーナの曲率を対応して変得るために変化できる。
【００４４】
可撓性継手の実施例であるテーパー付の継手１０１と平行継手１０３の両継手は、内側および外側の両方のコーナを形成するように使用することができる。
【００４５】
多数の控え２０６は、各翼部１０２、１０４の後面１０８を、各翼部１０２、１０４の前面１０６から離している。図１と図２に示される推奨実施例において、控え２０６の形状は、コーナ装置の構成に安定性を与えると共に、以下に一層詳しく検討されるように、外側コーナの周りに装置を折り曲げることを許している。図１と図２に示される控え２０６の形状が、これら安定性特性と折曲特性とを付与するだけの形状でなく、他の形状が適していると共に、本発明に包含されるべきであることが、当業者には明らかであろう。
【００４６】
後面１０８の縁部２０２は、前面１０６の縁部２００を越えて延びている。前面１０６の他の部分２０４は、後面１０８に向って僅かにテーパーが付けられており、従って、以下に詳細に検討されるように、乾燥壁パネルの縁部が、前面１０６と後面１０８との間の空間１１４内に配置でき、こうして、後面１０８の縁部２０２と前面１０６の縁部２００が乾燥壁パネルに対して密接に近接して配置されるようになる。
【００４７】
可撓性フランジ継手１１３は、後面１０８と外縁部１１０との交差部分に配置されている。後面１０８は、従って、可撓性フランジ継手１１３において曲げることができ、これによって、後面フランジ１１２が可撓性フランジ継手１１３の周りに枢動するのを許して、種々の厚さの乾燥壁パネルに適合するように前面１０６と後面１０８との間の空間１１４を調節するようにできる。
【００４８】
図１乃至図１３に示される継手以外の型式の可撓性フランジ継手１１３が本発明において使用できて、上述した曲げと枢動とを設ける全ての型と設計の継手を本発明が包含することが理解されるべきである。
【００４９】
装置の推奨実施例において、前面１０６と後面１０８が各翼部１０２、１０４の末端部に向って延びるように、両面が互いに向き合って僅かにテーパーが付けられている。翼部１０２、１０４のこのテーパー付けは、装置の表面と、挿入される乾燥壁パネルの表面とからの円滑な移動を容易にするように助ける。
【００５０】
図８は、垂直な壁が、閉鎖された会堂または開放された天井と出会う時に形成される内側コーナを示している。
【００５１】
図９は、アーチ型の天井において形成された内側コーナを示している。建築物の設計に基づいて、これらコーナは、９０度以下から１８０度の範囲の角度にすることができる。乾燥壁コーナ仕上げ装置が内側コーナを仕上るように用いられる時に、後面１０８は、先ず、フレームに対して直接に配置される。中央継手１００は、図６に示される１８０度から、図５の矢印５００と図７の矢印７００とによって示されるように、コーナによって形成される角度に適合するように、所要される適切な角度にまで撓む。
【００５２】
例として、図８において、仕上げ装置は、釘８０６の使用によって壁フレーム８００および天井垂木８０２に取り付けられる。仕上げ装置は、孔を予め形成する必要なしに、釘８０６が後面１０８のフランジ１１２を貫通して打たれることを許すように、十分に柔軟なプラスチックで作られる。ねじ、ボルト、接着剤等を用いるような他の方法が、壁や天井の支持部材に仕上げ装置を取り付けるのに等しく効果があることが、明確に理解されるべきである。仕上げ装置の取付け位置と釘８０６の位置とが、フレームの組立や、あるいは１つのフレーム部材８００から次の部材へと、起こり得る不適切性を仕上げ装置が修正するように、仕上げ装置の取付け位置と釘８０６の位置とを変えることができる。もし、必要ならば、釘８０６によって取り付ける前に、仕上げ装置の背後に、楔が配置されるようにできる。仕上げ装置がフレーム８０６と垂木８０２にしっかりと取り付けられた後に、乾燥壁パネル８０４の縁部は、前面１０６と後面１０８との間の空間１１４内に挿入されて、乾燥壁パネル８０４の縁部が翼部１０２、１０４の控え１１０に当接されるようになる。前面１０６と後面１０８との間の空間１１４は、乾燥壁パネル８０４に適合するように丁度十分な大きさであり、前面１０６と後面１０８とが乾燥壁パネル８０４に対して近接して整列されていることが、図８に見ることができる。乾燥壁パネル８０４は、従って、釘８０６を隠すようになる。乾燥壁パネル８０４は、通常の状態にフレーム８００と垂木８０２に取り付けられる。
【００５３】
図１０に示されるように、縁部２００を隠すように、プラスター（石膏）１３００が、そこで前面１０６のテーパーの付いた末端部２０４と乾燥壁パネル８０４のテーパー付きの縁部とに付与されて、滑らかな基準面を設けるようになる。プラスター１３００は、仕上げ装置のテーパー付の末端部２０４にだけ付与されるために、コーナ内におけるプラスター塗りの本来の困難が避けられる。このような困難には、他の中で、コーナ内における石膏用「こて」の操作の難しさを含んでおり、コーナの２つの側部が出会う場所に完全な真っ直ぐな縁部を形成するように技術が必要であり、仕上げ装置と乾燥壁パネルとの間の継手を完全に隠し、寸法の間違い、配置の誤り、またはフレーム部材の重なり等に基づく不同を正すように、プラスター１３００の幾つかの層の必要を含んでおり、各層は、乾燥するのに相当な時間を要する。プラスター１３００が付与されたならば、壁の表面は、塗装、壁紙貼り、または所要される他の方法によって仕上げることができる。前面１０６に接着されたプライマー３００は、仕上げ装置の前面１０６を隠すように、塗装または他の壁被覆をすることができる。他の実施例において、ラミネート４００は、次の塗装のための表面を設けるように、前面１０６に接着して取り付けることができる。
【００５４】
プラスターの選択は、縁部２００を隠すように、また使用できる。プラスターの選択は、スタッコ、スタッコプラスター、合成スタッコおよびセメント板張り製品に制限されることなく含んでいる。
【００５５】
内側コーナのための仕上げ装置の使用の別の例が図９に示されている。ここで、仕上げ装置は、上述したような内側コーナを実質的に提供しているが、コーナが、丸天井の鏡板によって形成されていることを、ここでは除外している。仕上げ装置は、フランジ１１２を通って釘９０４を打ち付けることによって垂木９００に取り付けられる。仕上げ装置の取付け位置と釘９０４の位置は、垂木９００においてや、１つの垂木９００から次の垂木へとにおいて存在することの有り得る不同を仕上げ装置が修正できるように変えることができる。もし、必要ならば、仕上げ装置が釘９０４によって取り付けられる前に、仕上げ装置の背後に楔が配置できる。乾燥壁パネル９０２の縁部が、次いで、前面１０６と後面１０８との間の空間１１４内に挿入される。上記のように、これら空間１１４は、乾燥壁パネル９０２の縁部に適合するように丁度、十分に大きいので、前面１０６と後面１０８は、乾燥壁パネル９０２に対して密接に並列した位置にある。乾燥壁パネル９０２は、従って、釘９０４を隠す。乾燥壁パネル９０２は、通常の状態で垂木９００に取り付けられる。プラスター１３００が、そこで前面１０６のテーパー付き末端部２０４と乾燥壁パネル９０２の縁部とに付与されて、平らな面を形成するようになる。プライマー３００またはラミネート４００が前面１０６を覆うために、前面１０６の残りの部分にプラスターを用いることを必要としないし、内側コーナによって形成される狭い角度の中でプラスターを施す困難が避けられる。壁の表面は、そこで所要されるように塗装や他の仕上げが施される。
【００５６】
図１１(a)は、停止位置の乾燥壁コーナ仕上げ装置を示す。１／２インチ乾燥壁パネル１５００が、図１１(b)に示されるように縁部２００、２０２間の空間１１４に挿入される時に、乾燥壁パネル１５００が、図１１(c)に示されるように縁部２００によって後面フランジに対して保持される。
【００５７】
図１２(a)は、縁部２００、２０２間の空間１１４内に挿入される５／８インチ乾燥壁パネル１６００を示している。大きな厚さの乾燥壁パネル１６００によって、後面フランジ１１２は、前面１０６から離れる方向に、可撓性フランジ継手１１３の周りに枢動する。前面１０６は、外控え１１０に基づいて比較的に真っ直ぐに残っており、外控え１１０は、各翼部の端部から離れた仕上げ装置の前面から後面の方に延びている。前面１０６が比較的に真っ直ぐに残っているように助けると共に、後面フランジ１１２が枢動することを助ける別の構成は、後面１０８の壁厚さが、前面１０６の壁厚さよりも幾分薄いことである。この効果は、また、可撓性フランジ継手１１３において外控え１１０と交差している場所の後面１０８の壁厚さを減少するようになし、これによってフランジ継手１１３が一層容易に枢動するように許す隣接の部分を弱くするような他の手段において容易にすることができる。
【００５８】
図１２(b)は、仕上げ装置と乾燥壁パネル１６００が図１７にさらに示されるように、取り付けられた乾燥壁パネル１６００に隣接して適所に保持された後面フランジ１１２を示している。仕上げ装置を用いる時の最良の結果が、仕上げ装置の空間１１４の内側面に、乾燥壁パネルを取り付けるように接着剤が使用される時に、見出すことができる。好適には、溶融接合接着剤が使用される。この適用に適するように見出される２つの接着剤は、オハイオ州、メンターのオー・エス・アイ・シーランツによって製造された製品番号ＰＬプレミウムと、ミシガン州、オックスフォードのアイ・ティ・ダブリュウ・フォーム・シールによって製造された製品番号Ｆ２１００Ａと組み合わせられる製品番号Ｆ２１００である。これら特定の接着剤の記載は、これら接着剤だけの使用に本発明を制限するものではなく、仕上げ装置と一緒に使用するのにまた適している他の接着剤の使用をも包含することが理解される。
【００５９】
図１３は、仕上げ装置がどのように５／８インチパネル１６００に取り付けられるかを示している。ブロック１７００は、仕上げ装置と乾燥壁パネル１６００とを、乾燥壁パネル１６００が取り付けられるフレーム面と平行に保つように使用できる。ブロック１７００は、仕上げ装置の後面１０８に固着される。仕上げ装置と乾燥壁パネル１６００は、釘１７０２またはその他の固着装置によってフレーム面に固着される。釘１７０２がフレームに固着される時に、後面１１２はフレーム面と感想壁パネル１６００との間に、これらの面と隣接して挟まれる。従って、この乾燥壁コーナ仕上げ装置は、仕上げ装置の厚さよりも厚くなった乾燥壁パネルに使用することができる。
【図面の簡単な説明】
【００６０】
【図１】本発明に従った乾燥壁コーナ仕上げ装置の部分斜視図である。
【図２】本発明に従った乾燥壁コーナ仕上げ装置の断面図である。
【図３】プリマー層で覆われた本発明に従った乾燥壁コーナ仕上げ装置の前面を示す、図２の概略示された部分における詳細な断面図である。
【図４】接着積状層で覆われた本発明に従った乾燥壁コーナ仕上げ装置の第２の実施例の前面を示す、図２の概略示された部分における詳細な断面図である。
【図５】内側コーナに適合するように曲げられた本発明に従った乾燥壁コーナ仕上げ装置の断面図である。
【図６】テーパー付継手を有する本発明の一実施例を示す、図２に示されるような乾燥壁コーナ仕上げ装置の中央継手の詳細な断面図である。
【図６ａ】テーパー付継手を有する本発明の一実施例を示す、図５に示されるような乾燥壁コーナ仕上げ装置の中央継手の詳細な断面図である。
【図７】平行継手を有する本発明の一実施例を示す、図２に示されるような乾燥壁コーナ仕上げ装置の中央継手の詳細な断面図である。
【図７ａ】平行継手を有する本発明の一実施例を示す、図５に示されるような乾燥壁コーナ仕上げ装置の中央継手の詳細な断面図である。
【図８】壁と天井の間の内側コーナに適用される本発明に従った乾燥壁コーナ仕上げ装置の断面図である。
【図９】天井の頂部に形成された内側コーナに適用される本発明に従った乾燥壁仕上げ装置の断面図である。
【図１０】継手へのプラスターの適用を示す本発明に従った乾燥壁コーナ仕上げ装置の断面図である。
【図１１ａ】１／２インチ厚さの乾燥壁パネルと一緒の装置の使用を示す図２の乾燥壁コーナ仕上げ装置の部分断面図である。
【図１１ｂ】１／２インチ厚さの乾燥壁パネルと一緒の装置の使用を示す図２の乾燥壁コーナ仕上げ装置の部分断面図である。
【図１１ｃ】１／２インチ厚さの乾燥壁パネルと一緒の装置の使用を示す図２の乾燥壁コーナ仕上げ装置の部分断面図である。
【図１２ａ】５／８インチ厚さの乾燥壁パネルと一緒の装置の使用を示す図２の乾燥壁コーナ仕上げ装置の部分断面図である。
【図１２ｂ】５／８インチ厚さの乾燥壁パネルと一緒の装置の使用を示す図２の乾燥壁コーナ仕上げ装置の部分断面図である。
【図１３】フレーム構造に取り付けられる時の５／８インチ厚さの乾燥壁パネルとブロックと一緒の装置の使用を示す乾燥壁コーナ仕上げ装置の別の部分断面図である。
【図１】
2004531663.tif 000004
【図２】
2004531663.tif 000005
【図３】
2004531663.tif 000006
【図４】
2004531663.tif 000007
【図５】
2004531663.tif 000008
【図６】
2004531663.tif 000009
【図６ａ】
2004531663.tif 000010
【図７】
2004531663.tif 000011
【図７ａ】
2004531663.tif 000012
【図８】
2004531663.tif 000013
【図９】
2004531663.tif 000014
【図１０】
2004531663.tif 000015
【図１１ａ】
2004531663.tif 000016
【図１１ｂ】
2004531663.tif 000017
【図１１ｃ】
2004531663.tif 000018
【図１２ａ】
2004531663.tif 000019
【図１２ｂ】
2004531663.tif 000020
【図１３】
2004531663.tif 000021
【国際公開パンフレット】
2004531663.tif 000022
2004531663.tif 000023
2004531663.tif 000024
2004531663.tif 000025
2004531663.tif 000026
2004531663.tif 000027
2004531663.tif 000028
2004531663.tif 000029
2004531663.tif 000030
2004531663.tif 000031
2004531663.tif 000032
2004531663.tif 000033
2004531663.tif 000034
2004531663.tif 000035
2004531663.tif 000036
2004531663.tif 000037
2004531663.tif 000038
2004531663.tif 000039
2004531663.tif 000040
2004531663.tif 000041
2004531663.tif 000042
2004531663.tif 000043
2004531663.tif 000044
2004531663.tif 000045
2004531663.tif 000046
2004531663.tif 000047
2004531663.tif 000048
2004531663.tif 000049
2004531663.tif 000050
2004531663.tif 000051
2004531663.tif 000052
2004531663.tif 000053
2004531663.tif 000054
2004531663.tif 000055
【国際公開パンフレット（コレクトバージョン）】
2004531663.tif 000056
2004531663.tif 000057
【国際調査報告】
2004531663.tif 000058